【事件の表示】
　平成　７年特許願第　２４２７６号「文書処理装置」拒絶査定に対する審判事件［平成　７年１０月　３日出願公開、特開平　７−２５３９７６］について、次のとおり審決する。
【結　論】
　本件審判の請求は、成り立たない。
【理　由】
１．手続の経緯及び本願発明
　本件審判請求に係る出願は、平成４年５月１９日付の出願である特願平４−１５２７８９号の一部を、平成７年２月１３日付で分割したものであって、請求項１に係る発明は、平成１２年４月１０日付及び平成１２年８月３日付手続補正書によって補正された明細書及び図面の記載からみて、その特許請求の範囲の請求項１に記載された次のとおりのものである（以下「本願発明」という。）。
「文字や記号及び種々の指令を入力するキーボードと、
　そのキーボードから入力された文書を表示するディスプレイと
を備える文書処理装置において、
　前記キーボードからの文書の入力モードを、ローマ字入力モードまたはかな入力モードに選択可能な入力モード切換え手段と、
　前記入力モード切換え手段によって前記入力モードを選択する際、前記ディスプレイの文書表示領域に、選択された入力モードの入力モード名を文字列にて表示するとともに、所定時間経過後、前記入力モード名の表示を中止して、前記キーボードから入力された文書を表示するための文書入力画面を表示させる表示制御手段と
を備えたことを特徴とする文書処理装置。」
　
２．引用例に記載された事項及び発明
　原査定の拒絶の理由に引用された特開昭６１−１７５７５５号公報（以下「引用例」という。）には、次の事項が図面と共に記載されている。
Ａ．表示手段を備え、複数の動作モードのいずれかに従って作動する電子機器において、前記表示手段を動作モード表示態様あるいはその他の表示態様に切換えて表示する切換手段と、電源の投入状態を検出する検出手段とを備え、前記電源の投入が検出された時、あるいはリセット時においては、前記表示手段の表示態様を強制的に動作モード表示とするようにしたことを特徴とする電子機器。（特許請求の範囲第１項）
Ｂ．前記動作モード表示態様による動作が所定時間にわたって行われた後に、自動的にその他の表示態様に切換えるようにしたことを特徴とする特許請求の範囲第１項記載の電子機器。（同第２項）
Ｃ．本発明は、電子式卓上計算機やワードプロセッサ、電子タイプなどにみられるように、表示器およびデータ入力手段を備え、所定の動作モードを選択して作動できるようにした電子機器に関するものである。（公報第２頁左上欄第６〜１０行）
Ｄ．第１図は、本発明を適用した印字装置付電子式卓上計算機の一実施例を示す外観図である。本図において、ＫＢは数値キー、ファンクションキー等を配置したキーボード、ＤＩＳＰは数値データや演算結果のほか本実施例に係る動作モードの表示（後に詳述する）を行うための表示装置、ＰＲは印字出力を行うための印字装置である。
　第２図は、第１図に示したキーボードＫＢおよび表示装置ＤＩＳＰの一部を拡大して示した図である。ここで、ＭＫ１は表示装置ＤＩＳＰにおける表示態様を選択するためのモード表示指定キーである。なお、このモード表示指定キーＭＫ１は本実施例を動作状態にするための電源投入キーとしても作用する。
　また、ＭＫ２、ＭＫ３、ＭＫ４はそれぞれ四捨五入指定キー、小数点位置（ＴＡＢ）指定キー、印字装置ＰＲの紙送りあるいは印字モードの指定を行う紙送り／印字モード指定キーである。
　ＭＰは表示装置ＤＩＳＰの各々の桁位置に対応して描いたモードパターンであり、第１桁目に対応した位置に「５／４」を、第２桁目には「Ｆ」を、第３桁目には「０」を、第４桁目には「２」を、…(略)…　第８桁目には「ＰＲＴ」の文字を記入してある。
　ＭＤは表示装置ＤＩＳＰを動作モード表示器として用いた場合の表示態様を示すものである。ここで、第１桁目(Ｄ１)については、７セグメントの内ｄセグメントのみが点灯しているので、四捨五入スイッチが“オン”の状態を示している。…(略)…　それぞれ点灯しているので、小数点位置(ＴＡＢ)として小数点以下「２」桁を表示するように指定され、且つ印字モードが指定されていることを示している。
　ＮＤは表示装置ＤＩＳＰを数字表示器として用いた場合の表示態様を示すものである。すなわち、…(略)…　置数データや演算結果を表示する。
　上述した２種の表示態様ＭＤ（モード表示）、ＮＤ（数字表示）の切換えは、モード表示指定キーＭＫ１の押下により切換えることができる。但し、電源投入時にはＭＤ（モード表示）の表示態様に初期設定されている（詳細は第４図以降において説明する）。（同第２頁右下欄第６行〜第３頁右上欄第１０行）
Ｅ．第４図に示す表示状態一覧表のNO.1ステップの如く、表示装置ＤＩＳＰにおいて第１、２、８桁のｄセグメントが表示される。これにより、現在のモードとして四捨五入モードが選択され且つ小数点位置であるＴＡＢはＦ（フローティング）モード、印字指定についてはプリントＯＮモードであることが表示可能となる。（同第５頁左上欄第１〜７行）
Ｆ．第４図のNO.6ステップに示す如く、第１桁目と第４桁目のｄセグメントのみが点灯する。これにより、小数点以下の桁数が「０」から「２」に変更されたことが表示される。このように、モード表示状態中にＴＡＢキーを押下することにより、モード状態の変更をすることが可能である。
　その後、約５秒間にわたって何のキー押下もなされない場合には、既に説明したように第４図のNO.7ステップに示す如く、モード表示状態から通常表示状態に遷移する。（同第７頁左上欄第１５行〜右上欄第５行）
Ｇ．また、これまで述べてきた説明は電子式卓上計算機に関するものであるが、複数の動作モードに応じた種々の機能を果たすワードプロセッサ、電子タイプライタ等にも本発明を適用し得ることは勿論である。（同第９頁左上欄第１６〜２０行）
　以上の記載及び第２、４図の記載からみて、引用例には、電子機器の実施例として、次のような電子式卓上計算機が記載されていると認められる。
「数字キー、モード表示指定キー及び少数点位置指定キーを有するキーボードと、キーボードから入力された入力データの表示を行う表示装置とを備える電子式卓上計算機であって、
　少数点位置指定キーを押下することにより小数点以下の桁数の指定の変更を行い、所定時間(約５秒間)経過後、表示手段の表示態様を、動作モードを表示するモード表示状態から、入力数字を表示する通常表示状態に切り換え、動作モードの表示は、表示装置の下部に記入される動作モードを表す文字に対応する部分のセグメントを点灯させて行うものである、電子式卓上計算機。」
　ところで、引用例の発明の詳細な説明には、電子機器の実施例として電子式卓上計算機について、その構成、作用、機能等が説明されているが、上記Ｃ、Ｇの記載事項をみると、引用例に記載される電子機器にはワードプロセッサも含まれているので、上記ＤからＦに記載された電子式卓上計算機に関する構成をワードプロセッサの構成として表記しなおせば、引用例には次のことが開示されていると言える。即ち、
　上記Ｄに関して、モード表示指定キー及び少数点位置指定キーは、動作の指令を入力するキーであり、又、電子式卓上計算機（以下「計算機」という。）の動作モード表示態様は、「四捨五入指定」、「小数点位置指定」、「印字モード指定」の３種類のモードの指定状態を表示する態様であり、その他の表示態様とは、入力された数字の表示態様のことである。
　一方、電子機器がワードプロセッサの場合、上記動作モードが、どのようなものであるか検討すると、通常、ワードプロセッサにおいては、動作モードの内「小数点位置指定」というような機能は必要としないが、上記Ｄの記載によれば、「小数点位置指定」とは、計算機による演算結果を小数点以下何桁まで表示するかを複数の候補（２桁、３桁等）から指定（選択）することであるから、ワードプロセッサにおける当該動作モード（複数の候補から１つを指定するモード）に該当するものとして、「仮名入力」、「ローマ字入力」等、複数の入力モードから１つを選択するモードを挙げることができる。即ち、ワードプロセッサにおける動作モードの表示態様は、印字モードの指定、入力モードの指定等を表示する態様とみることができ、その他の表示態様が、入力された文字の表示態様となることは明らかである。
　なお、動作モードの表示について、計算機の場合は、表示装置の各々の桁位置に対応して「５／４」、「Ｆ」、「０」、「２」…(略)…「ＰＲＴ」と表記されているが、ワードプロセッサの場合は、例えば「かな入力」、「ローマ字入力」、「ＰＲＴ」という表記になるものと認められ、計算機において対応桁のＤセグメントを点灯させて動作モードを表示することは、ワードプロセッサにおいては、対応箇所を点灯させることにより表示させるものと認められる。
　又、上記Ｆに関して、ＴＡＢキー（小数点位置指定キー）を押下して、小数点の位置を切り換えているから、これをワードプロセッサについて言えば、当該キーが入力モードの切り換え指定（選択）を行うキーになることは明らかである。
　以上の点からみて、上記引用例には、次のようなワードプロセッサも開示されていると言える。
「文字や種々の指令を入力するキーボードと、キーボードから入力された文字等を表示する表示装置とを備えるワードプロセッサであって、
　入力モード指定キーを押下することにより入力モードの選択を行い、所定時間(約５秒間)経過後、表示手段の表示態様を、入力モードを表示するモード表示状態から、入力文字を表示する通常表示状態に切り換え、
　入力モードの表示は、表示装置の下部に記入される入力モードを表す文字に対応する部分を点灯させて行うものである、ワードプロセッサ。」
　
３．対比・判断
　そこで、本願発明（以下「前者」）と上記引用例に開示されたワードプロセッサ（以下「後者」という。）とを対比する。
　後者の「表示装置」、「ワードプロセッサ」は、それぞれ前者の「ディスプレイ」、「文書処理装置」に相当するものであることは明らかである。又、後者の「入力モード指定キー」は、仮名入力モード、ローマ字入力モード等から１つを選択設定するものであるから、前者の「入力モード切換え手段」に相当するものと認められる。さらに、後者においても表示装置の画面表示を動作モード表示と通常モード表示に切り換えて表示しているから、表示制御手段を有していることは明らかである。
　したがって、本願発明と引用発明とは次の一致点、相違点を有するものと認められる。
［一致点］
「文字や記号及び種々の指令を入力するキーボードと、
　そのキーボードから入力された文書を表示するディスプレイと
を備える文書処理装置において、
　前記キーボードからの文書の入力モードを、ローマ字入力モードまたはかな入力モードに選択可能な入力モード切換え手段と、
　前記入力モード切換え手段によって前記入力モードを選択する際、前記ディスプレイの文書表示領域に、入力モードを表示し、所定時間経過後、前記入力モードの表示を中止して、前記キーボードから入力された文書を表示するための文書入力画面を表示させる表示制御手段と
を備えたことを特徴とする文書処理装置。」
［相違点］
　入力モードを表示するについて、前者では、選択された入力モードの入力モード名を文字列にて表示するのに対して、後者では、表示装置の下部に記入される入力モードを表す文字に対応する部分を点灯させて行うものである点。
　上記相違点について検討する。
　ハンディターミナル、小型ワープロ等において、入力モード変更時に入力モードを文字列にて表示することは、実願昭６３−１６８１２５号（実開平２−８９５３７号）のマイクロフィルム等に記載されるように周知の技術手段であるから、後者における入力モードの表示を、対応表記部分を点灯させる代わりに、文字列で表示するようにした点は、当業者が容易に想到し得る設計変更であると認められる。
［作用効果について］
　前者の奏する作用効果も、後者及び周知の技術手段の奏する作用効果から予測できる以上の格別のものとも認められない。
　
４．むすび
　以上のとおり、本願発明は、上記引用例に開示された発明及び周知の技術手段に基づいて、当業者が容易に発明をすることができたものであるから、特許法第２９条第２項の規定により特許を受けることはできない。
　よって、結論のとおり審決する。